(57)【特許請求の範囲】
【請求項１】
一枚の弾性板状体で背部と、この背部から前記弾性板状体の両端側を互いに同じ方向に折り曲げ、これらの両端縁を弾性的に当接させ、前記端縁間でとめるべきシート状部材の縁部を挟持する当接部を有するクリップのためのクリップドライバであって、前端にとめるべきシート状部材が差し込まれる差込み口、後端に前記クリップを１つずつ挿入するための挿入口、先端側の上面に前後方向に延在する開口、前記差込み口から前記挿入口に至るクリップ通路が形成され、複数の前記クリップを収納するケース本体と、このケース本体の前記差込み口近傍に配設され、前記クリップの当接部を相反する方向に押し拡げる拡開ばねと、前記開口に嵌入され、この開口に沿って前後方向に移動可能で、その先端で前記クリップ通路内の先頭のクリップを前記拡開ばねから前記差込み口に送り出すための弾性部材により常時後端方向に弾性的に偏倚した操作ノブとを備えたクリップドライバにおいて、
前記クリップ通路上に形成され、挿入された各前記クリップを前進は可能であるが後退は不能に係合する複数の係止部と、
前記操作ノブに連結部材を介して連結され、前記操作ノブの前後方向の移動に連動して前後動し、前進時には２番目以降の前記クリップを同時に前進させ、前進させたクリップを後退させることなく後退可能な複数の送り突起が形成された繰出し部材と、
後退したときに前進時より高い位置に前記繰出し部材を保持し、これにより前記挿入口の上方に前記繰出し部材の後端が位置し、前記クリップの挿入時は挿入される前記クリップによって前記繰出し部材が前進して挿入可能とし、挿入後は前記繰出し部材の後端によって前記挿入口から前記クリップが脱落するのを防止するため、前記ケース本体に形成されたガイド突起と、
を備えていることを特徴とするクリップドライバ。
【請求項２】
前記連結部材は、前記操作ノブのみが所定の距離前進して前記先頭のクリップを前進させた後に、前記繰出し部材が前進するように前記操作ノブと前記繰出し部材を連結していることを特徴とする請求項１記載のクリップドライバ。
【請求項３】
前記連結部材の後端部は、前記繰出し部材に前後方向に延在する長孔に遊嵌され、この長孔の長さだけ前記操作ノブのみが前進可能になっていることを特徴する請求項２記載のクリップドライバ。
【請求項４】
前記ガイド突起は前記ケース本体の内部後方の両側部にそれぞれ後方に向かって上昇するようにかつ前後方向に間隔をおいて形成され、前記繰出し部材は前後方向両端部の側面に、後退したとき前記ガイド突起上に載置されながら後退するための係止突起がそれぞれ前後方向に間隔をおいて形成されていることを特徴とする請求項１記載のクリップドライバ。
【請求項５】
前記ケース本体の内部後方の両側部には後方に向かって上昇するガイド突起が前後方向に間隔をおいて形成され、そのうち後方に位置する係止突起はほぼ水平に後方に向かって延在する水平部と、この水平部の後方側端部から上方に傾斜する傾斜部とからなり、前記ケース本体の開口にはその長手方向両側部にこの開口方向に突出するリブが前記水平部とほぼ同じ高さに形成され、前記繰出し部材には前後方向両端部の側面に後退したとき前記ガイド突起上に載置されながら後退するように係止突起がそれぞれ前後方向に間隔をおいて形成され、かつ後方の両側面下部には前記ガイド突起のうち後方に位置するガイド突起の下面と係合する弾性突起が形成され、前記繰出し部材が前進したとき前記繰出し部材の前方の係止突起が前記リム上に載置され、後方の係止突起と弾性突起が前記水平部を挟持し、これにより前記繰出し部材はほぼ水平に前進することを特徴とする請求項１記載のクリップドライバ。
【請求項６】
前記係止部と前記送り突起はそれぞれ後端側が傾斜面で前端側がほぼ垂直な面で構成されていることを特徴とする請求項１記載のクリップドライバ。
【請求項７】
前記連結手段は、一端が前記繰出し部材に前後動自在に連結され、他端が前記操作ノブに回動可能に連結された連結部材で構成されていることを特徴とする請求項２記載のクリップドライバ。
【請求項８】
前記クリップ通路上の係止部は、前後方向に少なくとも前記クリップの前記背部から前記当接部の先端までの長さにほぼ等しい長さの間隔をおいて複数もうけられていることを特徴とする請求項１記載のクリップドライバ。
【請求項９】
前記弾性突起は、それぞれ一端が前記繰出し部材の側面下部に固定され、上方に向かって延在する弾性アームと、この弾性アームの自由端に形成され、前記後方に位置するガイド突起の裏面に摺動可能に当接する突起軸とから構成されていることを特徴とする請求項５記載のクリップドライバ。
【発明の詳細な説明】
【０００１】
【発明の属する技術分野】
本発明は、書類などの紙葉の端縁をクリップでとめるためのクリップドライバに関し、特に詳しく言うと、１枚の弾性板状体を折り曲げてその両端に当接部を構成したクリップを複数収納し、順次当接部を開く位置に送り出して当接部を開き、その間に紙葉を挟持するクリップドライバに関する。
【０００２】
【従来の技術】
本出願人は、先の実公昭５８−４６９８号において、一枚の弾性板状部材で作られ、中央に形成された背部と、この背部から連続的に続き、互いにその先端が相接するように形成された当接部とを有するクリップを提案するとともに、このクリップの当接部間を開いてその間に書類などの紙葉を挟持させるためのクリップドライバを提案した。このクリップドライバは、先端に綴じるべき紙葉の端部を挿入する差込み口が後端にクリップ挿入口がそして内部にクリップを収納する収納部が形成されたドライバ本体と、このドライバ本体内の差込み口近傍に設けられ、クリップの当接部間に差込んでクリップの弾性に抗して当接部間を押し拡げる拡開ばねと、収納部の後端から収納部内に収納自在に挿入され、クリップの背部に係合してクリップを差込み口方向に押圧するレバーとを有している。紙葉をクリップでとめる場合は、差込み口に紙葉を差込み、レバーによってクリップを差込み口方向に移動させると、クリップの当接部間に拡開ばねが差込まれ、当接部間を開きながら差込み口方向に移動していき、差込み口の紙葉を挟むように位置する。さらにレバーを移動させると、拡開ばねからクリップは離脱し、当接部間に紙葉を挟んだ状態のクリップを差込み口から取り出すことができる。
【０００３】
上記実公昭５８−４６９８号におけるクリップドライバは、レバーの先端によって１つのクリップを押し出すようにしているため、収納部には１つのクリップしか装填できない欠点があった。そこで、本発明者は、アメリカ特許第４，３５３，１５７号において、ドライバ本体の収納部の上面に前後方向に摺動自在かつ先端部が下降可能にノブを設け、このノブを押し下げるようにしながら前進させることよってクリップを拡開ばねの位置に押し出すとともに、収納部内に複数個のクリップを収納可能にし、先頭のクリップを押し出した後は、ノブを後退させて、次のクリップの背部に当接させて、これを拡開ばねの部分に移動させるようにしたクリップドライバを提案した。このアメリカ特許第４，３５３，１５７号のクリップドライバは、複数のクリップが収納できるので、連続的に複数の紙葉のセットをとめることができるようになったが、新しいクリップを拡開ばねの所に位置させるためには、その都度ノブを指で後退させる必要があり、操作が煩わしい欠点があった。
【０００４】
そこで本発明者はさらに、アメリカ特許第４，９９６，７５５号において、ノブの先端上面にノブ突起を突出させるとともに、ノブをスプリングにより常時後方にかつ上昇した状態に保持させるようにしたクリップドライバを提案した。このクリップドライバで紙葉をクリップでとめる場合は、スプリングの弾性力に抗してノブを押し下げながらかつ前進させることにより、先頭のクリップが押し出されて、ノブから手を離すことによりノブは上昇しかつ後退していくので、次のクリップに邪魔されることなく後退することができ、次のクリップの押し出しを行うことができる。
【０００５】
上記アメリカ特許第４，９９６，７５５号のクリップドライバにより、ノブの前進操作のみで紙葉の端部をクリップでとめることができ、連続的に紙葉をとめることができるようになったが、しかしながら、次のクリップの送り出しは、ノブの押圧を解除したうえで、クリップドライバの先端側を下方にむけて、クリップの自重で先端に移動させるように滑らさなければならず、連続的にクリップ止めを行うことはできない欠点があった。
【０００６】
そこで、例えば特開平６−１５９９４号公報には、連続的にクリップ止めのできるクリップドライバが提案されている。このクリップドライバは、ケース本体の上面に前後方向に延在する切欠部を設け、切欠部の後端側にクリップを挿入するための挿入口を設け、ケース本体の後端にはこの切欠部を覆うカバーの後端を回動自在に取付けている。カバーには上述したようなノブを前後動自在に設け、ケース本体内には最後尾に位置するクリップを先端方向に押圧するクリップ押し部材を挿通し、このクリップ押し部材とノブ間をコイルばねで接続している。この構成により、カバーを開けたときは、コイルばねによりクリップ押し部材は挿入口より後方に位置するので、挿入口から挿入されたクリップは、カバーをしたときにはかならず最後尾のクリップを先端方向に押圧することができ、この押圧力により連続的にクリップを送り出すことができる。
【０００７】
【発明が解決しようとする課題】
しかしながら、上記特開平６−１５９９４号公報のクリップドライバはケース本体の長さを、クリップの最大収容個数の合計長さにクリップ押し部材の長さを加えた長さが必要になり、従来のクリップドライバより長くせざるを得ない。また、最大の欠点は、クリップを補充するためには、スプリングの伸縮力に抗してカバーを開けなければならず、挿入口も脱落を防ぐため狭くなっているので、クリップの装着がし難いことである。
【０００８】
本発明はこのような従来技術の実情に鑑みてなされたもので、その目的は、後端から簡単にクリップを装填でき、従来のクリップドライバとほぼ同等な大きさで連続操作が可能なクリックドライバを提供することである。
【０００９】
【課題を解決するための手段】
前記目的を達成するため、第１の手段は、一枚の弾性板状体で背部と、この背部から前記弾性板状体の両端側を互いに同じ方向に折り曲げ、これらの両端縁を弾性的に当接させ、前記端縁間でとめるべきシート状部材の縁部を挟持する当接部を有するクリップのためのクリップドライバであって、前端にとめるべきシート状部材が差し込まれる差込み口、後端に前記クリップを１つずつ挿入するための挿入口、先端側の上面に前後方向に延在する開口、前記差込み口から前記挿入口に至るクリップ通路が形成され、複数の前記クリップを収納するケース本体と、このケース本体の前記差込み口近傍に配設され、前記クリップの当接部を相反する方向に押し拡げる拡開ばねと、前記開口に嵌入され、この開口に沿って前後方向に移動可能で、その先端で前記クリップ通路内の先頭のクリップを前記拡開ばねから前記差込み口に送り出すための弾性部材により常時後端方向に弾性的に偏倚した操作ノブとを備えたクリップドライバにおいて、前記クリップ通路上に形成され、挿入された各前記クリップを前進は可能であるが後退は不能に係合する複数の係止部と、前記操作ノブに連結部材を介して連結され、前記操作ノブの前後方向の移動に連動して前後動し、前進時には２番目以降の前記クリップを同時に前進させ、前進させたクリップを後退させることなく後退可能な複数の送り突起が形成された繰出し部材と、後退したときに前進時より高い位置に前記繰出し部材を保持し、これにより前記挿入口の上方に前記繰出し部材の後端が位置し、前記クリップの挿入時は挿入される前記クリップによって前記繰出し部材が前進して挿入可能とし、挿入後は前記繰出し部材の後端によって前記挿入口から前記クリップが脱落するのを防止するため、前記ケース本体に形成されたガイド突起とを備えている。
【００１０】
前記目的を達成するため、第２の手段は、第１の手段における前記連結部材が、前記操作ノブのみが所定の距離前進して前記先頭のクリップを前進させた後に、前記繰出し部材が前進するように前記操作ノブと前記繰出し部材を連結している。
【００１１】
前記目的を達成するため、第３の手段は、第２の手段における連結部材の後端部は、前記繰出し部材に前後方向に延在する長孔に遊嵌され、この長孔の長さだけ前記操作ノブのみが前進可能になっている。
【００１３】
前記目的を達成するため、第４の手段は、第１の手段における前記ガイド突起が、前記ケース本体の内部後方の両側部にそれぞれ後方に向かって上昇するようにかつ前後方向に間隔をおいて形成され、前記繰出し部材は前後方向両端部の側面に、後退したとき前記ガイド突起上に載置されながら後退するための係止突起がそれぞれ前後方向に間隔をおいて形成されている。
【００１４】
前記目的を達成するため、第５の手段は、第１の手段における前記ケース本体の内部後方の両側部には後方に向かって上昇するガイド突起が前後方向に間隔をおいて形成され、そのうち後方に位置する係止突起はほぼ水平に後方に向かって延在する水平部と、この水平部の後方側端部から上方に傾斜する傾斜部とからなり、前記ケース本体の開口にはその長手方向両側部にこの開口方向に突出するリブが前記水平部とほぼ同じ高さに形成され、前記繰出し部材には前後方向両端部の側面に後退したとき前記ガイド突起上に載置されながら後退するように係止突起がそれぞれ前後方向に間隔をおいて形成され、かつ後方の両側面下部には前記ガイド突起のうち後方に位置するガイド突起の下面と係合する弾性突起が形成され、前記繰出し部材が前進したとき前記繰出し部材の前方の係止突起が前記リム上に載置され、後方の係止突起と弾性突起が前記水平部を挟持し、これにより前記繰出し部材はほぼ水平に前進する。
【００１５】
前記目的を達成するため、第６の手段は、第１の手段における前記係止部と前記送り突起はそれぞれ後端側が傾斜面で前端側がほぼ垂直な面で構成されている。
【００１６】
前記目的を達成するため、第７の手段は、第２の手段における前記係止部と前記送り突起はそれぞれ後端側が傾斜面で前端側がほぼ垂直な面で構成されている。
【００１７】
前記目的を達成するため、第８の手段は、第１の手段における前記クリップ通路上の係止部は、前後方向に少なくとも前記クリップの前記背部から前記当接部の先端までの長さにほぼ等しい長さの間隔をおいて複数もうけられている。
【００１８】
前記目的を達成するため、第９の手段は、第５の手段における前記弾性突起は、それぞれ一端が前記繰出し部材の側面下部に固定され、上方に向かって延在する弾性アームと、この弾性アームの自由端に形成され、前記後方に位置するガイド突起の裏面に摺動可能に当接する突起軸とから構成されている。
【００１９】
【発明の実施の形態】
以下、図面を参照し、本発明の一実施の形態におけるクリップドライバを説明する。まず最初に、このクリップドライバに使用される公知のクリップの一例を斜視図で示す図１６により説明する。クリップ１は、金属板や合成樹脂板で構成された帯状の弾性板状体を折り曲げて作られており、その長手方向の中央部に最大綴じ厚にほぼ相当する長さを有し、且つ内方に湾曲させた背部２と、この背部２から長手方向両端部を互いに同じ方向に折り曲げ、これら両端部を弾性的に当接させた一対の当接部３と、各当接部３の端縁部に長手方向に直交する方向（以下、この方向の長さを幅と称する）にそれぞれ突出するように設けた耳部４とを有している。これら耳部４を含む各当接部３の自由端は、拡開しやすいように互いに外方に折り曲げられたガイド部５が形成されている。
【００２０】
次に上記のクリップ１を使用して紙葉を閉じるためのクリップドライバを図１から図１５により説明する。図１は本発明の一実施の形態をクリップとともに示す縦断側面図、図２は上記実施の形態を示す斜視図、図３は上記実施の形態におけるケース部分を上部ケースと下部ケースに分離して示す平面図で、（ａ）は上部ケースを示し、（ｂ）は下部ケースを示しており、図４は上記実施の形態におけるケース部分のみを組み合わせた状態で示す縦断側面図、図５は図４におけるＶ−Ｖ線に沿って切断して示す縦断面図、図６は図４におけるＶＩ−ＶＩ線に沿って切断て示す縦断面図、図７は上記実施の形態における操作ノブ、繰出し部材およびこれら両者を連結する連結部材のみを示す斜視図、図８は図７における操作ノブの縦断面図、図９はその平面図、図１０はその側面図、図１１は図７における繰出し部材を示す図で、（ａ）は縦断面図、（ｂ）は平面図、（ｃ）は側面図、図１２は図７における連結部材の縦断面図、図１３はその平面図、図１４はその側面図、図１５は拡開バネを示す斜視図である。
【００２１】
クリップドライバ１０は、ほぼ長方形をし、複数のクリップ１を整列させた状態でその上面に載置可能な下部ケース１１と、この下部ケース１１上を覆うように取付けられる上部ケース１２と、先頭のクリップ１を送り出すための操作ノブ１３と、２番目以降のクリップ１と係合してそれらクリップ１を順送りする繰出し部材１４と、操作ノブ１３と繰出し部材１４とを連結する連結部材１５と、操作ノブ１３および繰出し部材１４を常時後退するように弾性的に偏倚させるためのスプリング１６と、クリップ１の耳部４間を押し拡げるための一対の拡開バネ１７とから構成されている。下部ケース１１と上部ケース１２とによりケース本体が構成される。下部ケース１１、上部ケース１２、操作ノブ１３、繰出し部材１４そして連結部材１５は、合成樹脂で作られ、スプリング１６そして拡開バネ１７は金属で作られている。なお、以下の説明において、先端は書類などが差し込まれる側の端部で、図面においては左側ないし下方側を、そして後端はクリップを装填する側の端部で、図面の右側ないし上方側をそれぞれ指すものとする。また、下部ケース１１や上部ケース１２における幅は、長手方向に直交する長さを指し、クリップ１、操作ノブ１３そして繰出し部材１４などの移動方向は、後端から先端方向への移動を指すものとする。
【００２２】
下部ケース１１は、図３の（ｂ）および図４から図６に示すように、一対の下側壁２１と、これら下側壁２１間に位置する底部２２とによりその横断面がほぼ皿状に形成されている。底部２２の上面の幅は、クリップ１の当接部３の幅にほぼ等しい長さに設定され、これによりクリップ１の背部２と当接部３の下方の角部が通ることができるようになっている。両下側壁２１の先端側は底部２２の先端部より手前側で終わり、両下側壁２１の先端部より先の底部２２はクリップ１を排出する排出下面２３が形成されている。両下側壁２１の上端面には、上部ケース１２のための係止突条２４と、複数の位置決め用突起２５がそれぞれ一体的に立設されている。両下側壁２１の相対する内側面には、クリップ１の耳部４が通る鈎状の下部耳ガイド溝２６がそれぞれ形成されている。図４に示すように、下部耳ガイド溝２６の先端側端部は、僅かに上昇した後階段状に下降して排出下面２３と同レベルになるように形成されている。
【００２３】
下部ケース１１の底部２２には、７組のクリップ止め突起２７が所定の間隔をおいて形成されている。これら７組のクリップ止め突起２７は、一側部が耳ガイド溝２６に接し、下部エース１１の幅方向に整列するように形成された一対のクリップ止め突起２７で１つの組を構成している。各クリップ止め突起２７はその先端側にほぼ垂直な面が形成され、この垂直な面の頂点から後端側に緩い傾斜面が形成され、これにより後端側から送られてきたクリップ１は緩い傾斜面を登るようにして先端側に送られ、クリップ止め突起２７を乗り越えると、クリップ１の背部２が乗り越えたクリップ止め突起２７の垂直な面に当接して後端側に戻るのを防止する。各組のクリップ止め突起２７の間隔は、その間にクリップ１が位置できるように、クリップ１の背部２からガイド部５の先端までの長さより僅かに長くなっている。下部ケース１１の底部２２の後端側は、クリップ１を落とし込めるように斜め上方に傾斜する傾斜面２８が形成されている。この傾斜面２８の先端側端部はほぼ垂直に下降して段部２０が形成されている。下部耳ガイド溝２６の先端側端部の上昇する部分より後端側の底部２２は、下部ケース１１の下面に指をかけるための凸部を形成するため凹部２９によってへこまされている。底部２２の排出下面２３の後端両側には拡開バネ１７を固定するためのピン突起３０が一体的に立設されている。
【００２４】
上部ケース１２は、図３の（ａ）および図４から図６に詳細に示すように、一対の上側壁３１と、これら上側壁３１間の先端側に位置する前上板部３２と、上側壁３１間の後端側に位置する後上板部３３とが形成されている。前上板部３２と後上板部３３との間には操作ノブ１３が前後方向に移動自在に遊嵌される開口３４が形成されている。図４に示すように、各上側壁３１は先端側が低く、開口３４の一部から後端側にかけては高くなるように形成されている。各上側壁３１の下端面には、下部ケース１１と組み合わせたときに、下部ケース１１の係止突条２４と位置決め用突起２５がそれぞれ挿入されるように、係止溝３５と位置決め用孔３６とが形成されている。この上部ケース１２の前上板部３２と下部ケース１１の排出下面２３とにより、綴じるべき書類を差し込み、差込まれた書類にクリップ止めを行い、そしてクリップ止めされた書類をそこから取り出す、書類挿入口１８が形成される。
【００２５】
各上側壁３１の相対する面には、下部ケース１１の下部耳ガイド溝２６と協同してクリップ１の耳部４が通るガイド溝を形成するように、鈎状の上部耳ガイド溝３７が後端側から先端側にわたってそれぞれ形成されている。上部耳ガイド溝３７の先端側端部は、僅かに下降した後平坦となり、その後は斜め上方に傾斜する斜面となり、その先端は前上板部３２の下面近傍で終わるようになっている。上部耳ガイド溝３７のこの先端部は、下部耳ガイド溝２６の先端側端部より僅かに先端側に突出するように位置している。上部耳ガイド溝３７の後端側の端部は、下部耳ガイド溝２６の後端側端部に対してその間隔が徐々に広がるように形成されている。これにより下部ケース１１の下部耳ガイド溝２６と上部ケース１２の上部耳ガイド溝３７とでケース本体の内部にクリップ１の耳部４が通る溝が後端側から先端側にわたって形成されることになる。
【００２６】
各上部耳ガイド溝３７の上方には、クリップ１の背部２と当接部３の上方の角部が通る上部クリップガイド溝３８が上部耳ガイド溝３７のひさしとなるようにそれぞれ形成されている。これら上部クリップガイド溝３８の各先端部は開口３４の先端側に位置し、各後端側は最後部に位置するクリップ止め突起２７の上方に位置している。これにより下部ケース１１の底部２２の上面と上部クリップガイド溝３８とにより、クリップ１の背部２と当接部３が通る溝が形成されることになる。
【００２７】
各上部クリップガイド溝３８の上方の各上側壁３１には、さらに後述する操作ノブ１３の前方係止部５４と後方係止部５６とが移動可能に係合する基部ガイド溝３９が上部クリップガイド溝３８のひさしとなるようにそれぞれ形成されている。基部ガイド溝３９は開口３４の長手方向に沿ってかつ開口３４の長手方向よりは短い長さをもって延在している。これら基部ガイド溝３９の各先端部は先頭に位置するクリップ止め突起２７の上方近傍から徐々に下降する傾斜面４０が形成されている。この傾斜面４０の先端部は、下部ケース１１の下部耳ガイド溝２６の階段状に下降する部分の近傍の上方に位置している。
【００２８】
各上側壁３１の基部ガイド溝３９の上方には、後述する操作ノブ１３の係合突起５７および繰出し部材１４の前方係止突起７１の各下端をその上面で移動可能に支持するノブガイドリム４１がそれぞれ形成されている。ノブガイドリム４１の底部は基部ガイド溝３９のひさしとなるように突出している。すなわち、２つのノブガイドリム４１の突出端部の相対する端面間の距離は、その下方で相対する基部ガイド溝３９間の距離より短くなっており、操作ノブ１３がノブガイドリム４１間の間隙から離脱しないようになっている。一方、この基部ガイド溝３９間の距離は、その下方で相対する上部クリップガイド溝３８間の距離より短くなっており、これにより基部ガイド溝３９間の間隙からクリップ１が離脱しないようになっている。ノブガイドリム４１の後端は、開口３４の後端部より前方側で終わっており、その端面は斜め下方に傾斜している。ノブガイドリム４１の後端側の各上側壁３１には、ノブガイドリム４１の後端部とにより操作ノブ１３や繰出し部材１４を挿入するための挿入口４２の上部を規定するとともに、後述するように繰出し部材１４が後退したときその前方係止突起７１が上面に載り上がる規制突条４３が一段高い位置に形成されている。規制突条４３の先端側端縁部は斜め上方に傾斜している。
【００２９】
後上板部３３の下面のほぼ中央部には、スプリング１６の一端を係止するための係止フック４４が垂下するように形成されている。この係止フック４４の前方の後上板部３３の下面には、前後方向および左右方向に間隔をおいて４つの保持突起４５が垂下するように形成されている。後上板部３３の後端側の下面には、左右方向に間隔をおいて一対の係止突条４６が垂下するように形成されている。保持突起４５および係止突条４６は、後述するように、繰出し部材１４と係止するためのものである。後上板部３３の後端は下方に垂れ下り、その端部は下部ケース１１の傾斜面２８とにより広めのクリップ１の挿入口４７を形成している。前上板部３２の後端側下面には下部ケース１１のピン突起３０が挿入されるピン孔４８が形成されている。４９は、各上側壁３１の後方にほぼ水平に突出するように形成され、後述する繰出し部材１４の突起軸７０と後方係止突起７２との間に位置して、前進したとき２番目以降のクリップ１を確実に前進させるように繰出し部材１４をガイドするガイド突起である。このガイド突起４９の高さおよび厚みは、上述したノブガイドリムとほぼ同じである。後端側には上方に傾斜する上昇傾斜部５０が形成されている。このガイド突起４９の水平部の上面はノブガイドリム４１の上面と、そして水平部の下面は基部ガイド溝３９の上面とほぼ同じレベルに形成されており、上昇傾斜部５０の先端縁はほぼ水平に形成され、その水平面の高さは規制突条４３の高さとほぼ同じレベルに形成されている。
【００３０】
次に図７から図１０により、操作ノブ１３の構造を説明する。この操作ノブ１３は、断面がほぼ逆樋状をし移動方向に延在し、先端側が下降する基部５１と、この基部５１のほぼ中央部に一体的に形成されたノブ突起部５２とから主に構成されている。基部５１の進行方向に直交する方向の幅は、後部ケース１１の相対するノブガイドリム４１の先端間の間隙より僅かに短くなっている。基部５１の先端部には、先端から下方に突出して先頭に位置するクリップ１の背部２に当接する押出部５３と、先端両側部から移動方向と直交する方向に突出し、その上面が基部ガイド溝３９に移動自在に係合する前方係止部５４が形成されている。基部５１の後端部は、その上面部が切り欠かれ、この切り欠かれた部分から露呈して後述する連結部材１５のフック部８１を係止するための係止軸５５と、後端両側部から移動方向と直交する方向に突出し、その上面が基部ガイド溝３９に移動自在に係合する後方係止部５６とが形成されている。基部５１の後端面は先端方向に傾斜するように形成されている。基部５１の後端部である切り欠かれた部分の後端縁は前方方向に向かって斜め上方に傾斜した端面になっている。
【００３１】
ノブ突起部５２は、基部５１から上方に突出し、進行方向断面がほぼ半円形をしており、進行方向に直交する方向の幅は、基部５１の同方向幅より広く、上部ケース１１の開口３４の幅より僅かに狭くなっている。ノブ突起部５２の基部５１から突出する部分の各下面には、移動方向に間隔をおいて２つの係合突起５７がそれぞれ形成されている。これら係合突起５７はその下端が上部ケース１１のノブガイドリム４１の上面に移動可能に係合される。
【００３２】
次に図７および図１１により、繰出し部材１４の構造を説明する。繰出し部材１４は、先頭から２番目以降のクリップ１の各背部２の上方と係合するための長方形をした基板部６１と、この基板部６１のほぼ中央両側部に立設するように形成された側板部６２とを有している。両側板部６２の外面間の長さ即ち厚みは、上部ケース１２の相対するノブガイドリム４１の端面間の長さすなわち間隙より短く構成されている。基板部６１はその長手方向の中央部から僅かに後方に寄った部分からは幅を細くしかつ波を打たせた形状にして弾性力を持たせた弾性部６３となっており、弾性部６３の後端部には両側板部６２の外面間の長さにほぼ等しい幅の端縁部６４が形成されている。
【００３３】
基板部６１の先端部から端縁部６４にわたる裏面には、７つのクリップ送り突起６５が所定の間隔をおいて形成されている。これら７つのクリップ送り突起６５の各先端側はほぼ垂直な面が形成され、この垂直な面にクリップ１の背部２を当接させることによりクリップ１の送り出し動作中にクリップ１が後端方向に戻るのを規制している。また、各クリップ送り突起６５の各後端側は、緩やかな傾斜面となっており、これにより、繰出し部材１４が後退するときはクリップ１を乗り越えて後退する。端縁部６４の面は後端から前端に向かって斜め上方に傾斜する傾斜面６６となっている。基板部６１の先端側には上面を大きくした逆台形状の開口６７が穿設されている。この開口６７より先端側に位置する基板部６１の上面は、残りの基板部６１の上面より高くなるように厚くなっている。
【００３４】
各側板部６２は、その先端側は基板部６１の側縁から一体的に立設しているが、後端側は切り欠き部６８によりその下端側が切り欠かれ、下端縁が基板部６１の上面より上方に位置するようになっている。各側板部６２の切り欠き部６８には、側板部６２から切り欠き部６８内に延在し、上方に向けて湾曲した弾性アーム６９が一体的にそれぞれ形成されている。各弾性アーム６９の先端は切り欠き部６８内に位置しており、弾性アーム６９の先端には移動方向に直交する方向に突出する突起軸７０が形成されている。各側板部６２の先端部の側面上方には、移動方向に直交する方向に突出する前方係止突起７１がそれぞれ一体的に形成されている。また、各側板部６２の後端部の側面には、同じく移動方向に直交する方向に突出するが、その突出長は前方係止突起７１より短い後方係止突起７２がそれぞれ一体的に形成されている。これら前方係止突起７１と後方係止突起７２の各下面の後端側は、上昇する傾斜面になっている。また、各側板部６２の先端部の側面には、移動方向に延在する長孔７３がそれぞれ穿設されている。
【００３５】
操作ノブ１３と繰出し部材１４とを連結する連結部材１５は、図７および図１２から１４に示すように、先端部に操作ノブ１３の係止軸５５に回動自在に係止されるフック部８１が形成され、後端部に移動方向と直交する方向に両端が突出するように連結軸８２が形成されている。この連結軸８２の両端部は、繰出し部材１４の側板部６２に穿設された長孔７３に遊嵌される。フック部８１と連結軸８２との間の連結部材１５には、移動方向に延在する長孔８３が穿設され、この長孔８３には移動方向と直交する方向にスプリング１６の一端が係止される支持軸８４が形成されている。長孔８３の連結軸８２側は図１２に示すように、緩い傾斜面８５となっている。なお、フック部８１の厚みは、図７においては誇張されているが、繰出し部材１４の開口６７に嵌入可能な厚さに設定されている。
【００３６】
一対の拡開バネ１７は、図１５に詳細に示すように、帯状の弾性金属板をそのほぼ中央部から折り曲げ、両端の自由端９１側を開脚させ、中央部は密接させた頂点部９２とした、断面がほぼ横Ｙ字状をしている。頂点部９２には、下部ケース１１の底部２２に立設されたピン突起３０に挿通される挿入孔９３が穿設されている。
【００３７】
ここで、上部ケース１２に対する操作ノブ１３や繰出し部材１４などの取付けを説明する。操作ノブ１３は、その基部５２から上部ケース１２の開口３４に挿入する。このとき、操作ノブ１３の基部５２の面が上部ケース１２の上側壁３１と相対するようにして開口３４内に挿入し、前方係止部５４が開口３４のノブガイドリム４１の下に位置して時点で操作ノブ１３を約９０゜回転させる。これにより、前方係止部５４はノブガイドリム４１の下の基部ガイド溝３９に係止された形となる。このとき操作ノブ１３の後方係止部５６はノブガイドリム４１上に載った形となっているので、その状態で操作ノブ１３を後退させると、後方係止部５６はノブガイドリム４１の後端部と規制突条４３の前端部とにより形成された挿入口４２から基部ガイド溝３９に落とし込まれる。そこで、操作ノブ１３を前進させれば、後方係止部５６も基部ガイド溝３９に係止されることになる。
【００３８】
一方、繰出し部材１４は、その後端の端縁部６４から開口３４内に挿入し、ガイド突起４９の上面には後方係止突起７２が、そしてガイド突起４９の下面には突起軸７０がそれぞれ位置するように挿入する。なお、前方係止突起７１は、ノブガイドリム４１上に載置される。そして、繰出し部材１４の相対する長孔７３に連結部材１５の連結軸８２の両端部を遊嵌する。これは、連絡部材１５の連結軸８２を繰出し部材１４の側板部６２間に位置させ、連結部材１５を約９０゜回転させれば、連結軸８２の両端部を相対する長孔７３内に位置させることができる。次に一端が係止フック４４に係止されたスプリング１６の他端を連結部材１５の支持軸８４に係止するとともに、連結部材１５のフック部８１を操作ノブ１３の操作ノブ１３の係止軸５５に係止する。
【００３９】
このようにして操作ノブ１３や繰出し部材１４などを取付けた上部ケース１２に下部ケース１１を組み合わせる。上部ケース１２と下部ケース１１を組み合わせる前に、下部ケース１１のピン突起３０に拡開バネ１７の頂点部９２に穿設された挿入孔９３を挿通して、一対の拡開バネ１７を下部ケース１１の底部２２に仮止めしておく。ここで、下部ケース１１の後縁の下端部に幅方向にわたって鈎状に形成された凹部９７に、上部ケース１２の後端側にリング状に形成された連結棒部９８を嵌め合わせるとともに、下部ケース１１の両下側壁２１の上端面の係止突条２４と位置決め用突起２５を上部ケース１２の各上側壁３１の下端面の係止溝３５と位置決め用孔３６にそれぞれ挿入する。これにより上部ケース１２と下部ケース１１は所定の嵌合状態に組み合わされる。最後に、下部ケース１１と上部ケース１２の先端側は、下部ケース１１の先端側外周面から上部ケース１２の両側面にわたって形成されたガイド溝９５に、ばね性金属板で構成された締止バンド９６を嵌め込むことにより組み立ては完了する。
【００４０】
次に、このクリップドライバ１０の使用方法および動作を、図１７から図２０を参照しながら説明する。図１７は操作ノブを下方に押圧した状態を示し、図１８は操作ノブを図１７より前進させた状態を示し、図１９は操作ノブを図１８よりさらに前進させた状態を示し、図２０は操作ノブを最大限前進させた状態を示している。
【００４１】
図１７に示すように、連結部材１５を介したスプリング１６によって、操作ノブ１３と繰出し部材１４とは後端側に弾性的に引かれ、操作ノブ１３はその基部５１の後端部の斜め上方に傾斜した端面が繰出し部材１５の側板部６２の前端部６０に当接し、操作ノブ１３の先端部の押出部５３側を上昇させ、その上昇は前方係止部５４が上部ケース１２の開口３４のノブガイド４１の裏面に当接することで規制された形で保持される。一方、繰出し部材１４はその側板部６２の後端が一対の係止突条４６に当接して後退が規制され、弾性部６３の後端の端縁部６４はクリップ挿入口４７から僅かに突出している。このとき、繰出し部材１４は前方係止突起７１が規制突条４３の上面に載り上がり、かつ後方係止突起７２がガイド突起４９の上昇傾斜部５０の一番高い位置である端縁に上がっている。一方、繰出し部材１４はその側板部６２の上端は後上板３３に垂下された保持突起４５に係合し、スプリング１６により繰出し部材１４の先端側が引き上げられ、斜めになるのを防止して、繰出し部材１４をほぼ水平を保持する。
【００４２】
この状態でクリップ挿入口４７からクリップ１をそのガイド部５側から装填する。クリップ挿入口４７は繰出し部材１４の端縁部６４によって狭くなっているが、端縁部６４はスプリング１６によって後退しており、クリップ１を押し込むことにより前進してクリップ挿入口４７を広くすることができ、容易にクリップ１を装填することができる。装填されたクリップ１はその耳部４が下部ケース１１の下部耳ガイド溝２６と上部ケース１２の上部耳ガイド溝３７とにより形成されたガイド溝に嵌入する。クリップ挿入口４７を上に向けることにより、クリップドライバ１０の先端側は下に向き、装填されたクリップ１は下部ケース１１の底部２２に形成されたクリップ止め突起２７の緩い傾斜面を登るようにして次々とクリップ止め突起２７を乗り越えて先端部まで滑っていく。先端部に達したクリップ１は、閉じているガイド部５の両端の耳部４間に拡開ばね１７の頂点部９２が挿入して止まる。先頭のクリップ１の背部２は先端に位置するクリップ止め突起２７の垂直な面と相対する。
【００４３】
次に装填されたクリップ１はそのガイド部５が先頭のクリップ１の背部２に当接する。このとき２番目に装填されたクリップ１の背部２は、先頭から２番目のクリップ止め突起２７の垂直な面と相対する。以下、同様にしてこの実施の形態においては、８つのクリップ１を装填することができる。クリップドライバ１０の先端側を上にし、クリップ挿入口４７を下にしても、これらクリップ１はそれらの背部２が相対するクリップ止め突起２７の垂直な面に当接して後端側に戻ることはない。なお、クリップドライバ１０を下部ケース１１を上にし、上部ケース１２を下に向けるように、クリップドライバ１０の天地を逆にした場合は、クリップ１はクリップ止め突起２７に規制されることはなくなり、また繰出し部材１４も上昇しているので、繰出し部材１４のクリップ送り突起６５に規制されることなく自由に前後動できるが、各クリップ１の耳部４は耳部用のガイド溝に嵌入されているので、クリップ１同志が重なり合ってしまうようなことはない。
【００４４】
ここで、クリップドライバ１０の書類挿入口１８に綴じるべき書類６を差込んだ後、操作ノブ１３のノブ突起部５２に指７を掛けて、矢印で示すように押しながら先端方向にスライドさせる。ノブ突起部５２の下方への押圧により、それまでスプリング１６によって上方に偏倚されていた押出部５３は下降する。この下降はノブ突起５２の両端下面の係合突起５７が開口３４のノブガイドリム４１の上面に当接することにより規制される。そして、ノブ突起部５２の先端方向方へのスライドは、最初は操作ノブ１３のみが前進していく。これは、連結部材１５の連結軸８２が繰出し部材１４の長孔７３に遊嵌されているので、連結部材１５のフック部８１の先端が連結部材１５の開口６７の先端側の傾斜面に当接するまでは操作ノブ１３のみが前進していくためである。フック部８１の先端が連結部材１５の開口６７の先端側の傾斜面に当接することにより、操作ノブ１３の前進は連結部材１５を介して繰出し部材１４も前進させることになる。
【００４５】
繰出し部材１４が先端方向にスライドしていくと、それまで前方係止突起７１が規制突条４３の上面に載り上がり、かつ後方係止突起７２がガイド突起４９の上昇傾斜部５０の端縁に載り上がっていた状態から開放され、繰出し部材１４はほぼ水平に下降する。これにより、前方係止突起７１はノブガイドリム４１の上面に当接し、後方係止突起７２と突起軸７０はノブガイドリム４１と同じ高さに位置するガイド突起４９を挟持するように位置する。
【００４６】
図１８に示すように、繰出し部材１４の前方係止突起７１と後方係止突起７２がノブガイドリム４１およびガイド突起４９の上面にそれぞれ当接した時点で、繰出し部材１４の基板部６１の裏面に形成されたクリップ送り突起６５の垂直な面が２番目以降に位置するクリップ１の背部２に当接可能になる。また、繰出し部材１４の下降により、連結部材１５の連結軸８２の位置も下降し、その結果連結部材１５のフック部８１側がわずかに上昇する。これにより、開口６７の先端側の傾斜面に前進を阻止するように当接していたフック部８１は、開口６７の先端側の傾斜面を乗り越えることが可能になり、連結部材１５もその連結軸８２が繰出し部材１４の長孔７３の先端側端部に当接するまで操作ノブ１３とともに、前進していくが、繰出し部材１３は下降した位置に停止している。このように当初は、操作ノブ１３のみを前進させているが、これは先頭のクリップ１が耳部４間に拡開ばね１７の頂点部９２に当接した地点からそのクリップ１が拡開ばね１７を通り抜けて書類挿入口１８に排出されるまでの距離が、クリップ１のガイド部５の先端から背部２までの距離より長いためであり、操作ノブ１３のみこれら２つの距離の差だけ最初に前進させ、その後に後述するように繰出し部材１４を前進させている。
【００４７】
連結部材１５とともに前進した操作ノブ１３によって、先頭に位置するクリップ１はその耳部４間に拡開ばね１７の頂点部を差し込まれる。さらに、操作ノブ１３を前進させると、クリップ１は前進し、図１９に示すように、２つの当接部３は拡開ばね１７により押し拡げられ、書類挿入口１８にその先端が位置したときは、２つの当接部３はほぼ平行に開かれ、その間に書類６を挿入することが可能になる。このとき、連結部材１５の連結軸８２は繰出し部材１４の長孔７３の先端側端部に位置し、それ以降の操作ノブ１３の前進に伴って繰出し部材１４も前進する。
【００４８】
操作ノブ１３を更に前進させることにより、拡開ばね１７とクリップ１の耳部４との係合は解かれ、書類６をとめたクリップ１は書類挿入口１８から排出可能となる。一方、この操作ノブ１３の前進に連動して前進した繰出し部材１４は、その基板部６１の裏面に形成されたクリップ送り突起６５が２番目以降のクリップ１の角部に当接し、それらクリップ１をケース１１の底部２２の上面に形成されその前に位置するクリップ止め突起２７の傾斜面を登るようにしながら前進させる。図２０に示すように、操作ノブ１３をその基部５１とノブ突起５２の境界部が開口３４の先端側端部に当接して、操作ノブ１３のそれ以上の前進が阻止されたとき、操作ノブ１３は、書類６をとめたクリップ１を拡開ばね１７から完全に離脱し、２番目のクリップ１が先頭に位置し、３番目のクリップは２番目のクリップ止め突起２７に係止される。４番目以降のクリップ１も１つ前のクリップ止め突起２７に係止される。
【００４９】
クリップ１で止められた書類６を取り出し、操作ノブ１３から指７を離すと、操作ノブ１３と繰出し部材１４はスプリング１６により後端側に引き戻される。繰出し部材１４は、前方係止突起７１が上部ケース１２の上側壁３１に形成された規制突起４３に乗り上げるまでは、下降した状態で後退するので、繰出し部材１４のクリップ送り突起６５は２番目以降のクリップ１の折り曲げ部に当接するが、各クリップ送り突起６５はその後退方向の面が傾斜面になっているので、繰出し部材１４はクリップ１の折り曲げ部に当たってもそれを乗り越えながら後退することができる。各クリップ１の下方に位置する折り曲げ部は、下部ケース１１の底部２２上に形成されたクリップ止め突起２７の垂直な面に当接しているので、クリップ送り突起６５の乗り越え時の力で、クリップ１が後退することはない。このようにして後退した繰出し部材１４がその前方係止突起７１が規制突起４３そして後方係止突起７２が上昇傾斜部５０の先端にそれぞれ乗り上がるようにして上昇し、側板部６２の後端が係止突起４６に係止されることで後退が止まる。一方、操作ノブ１３もその基部５１の後端が繰出し部材１４の側板部６２の前端部６０に当接して、押出部５３を上昇させた形、すなわち図１７に示す初期の状態に復帰する。
【００５０】
このように、操作ノブ１３および繰出し部材１４が復帰したとき、２番目に位置していたクリップ１が先頭に位置し、それ以降のクリップ１も順に繰り上げられているので、たとえクリップドライバ１０の先端側を上方に向けていても次にクリップ１が拡開ばね１７と相対するように位置させることができ、連続的にクリップ止めを行うことができる。
【００５１】
なお、上述した実施の形態においては、下部ケース１１の両下側壁２１の上端面に係止突条２４と位置決め用突起２５を形成し、上部ケース１２の下端面に係止溝３５と位置決め用孔３６を形成し、係止突条２４と位置決め用突起２５を係止溝３５と位置決め用孔３６にそれぞれ挿入することにより、下部ケース１１と上部ケース１２を組み合わせているが、下部ケース１１と上部ケース１２の位置合わせは下部ケース１１の凹部９７に、上部ケース１２の連結棒部９８を嵌め合わせることだけで十分実施可能であるので、これら係止突条２４と位置決め用突起２５を係止溝３５と位置決め用孔３６は必ずしも設ける必要はない。また、下部ケース１１の両下側壁２１の上端面と上部ケース１２の下端面とを接着または熱融着により接合してもよく、この場合はガイド溝９５や締止バンド９６も不要である。
【００５２】
さらに、上述した実施の形態においては、ケース本体を水平方向に分断して下部ケース１１と上部ケース１２とにしているが、ケース本体を垂直方向に分断、すなわち図５および６においてほぼ中央から上下方向に切断し、右側ケース部と左側ケース部とでケース本体を構成してもよい。この場合、操作ノブ１３や繰出し部材１４などはそれらの一方の側面に形成された前方係止部５４、後方係止部５６、突起軸７０や前方係止突起７１などを右あるは左側ケース部の基部ガイド溝３９やノブガイドリム４１に係合し、左あるいは右側ケース部の基部ガイド溝３９やノブガイドリム４１に操作ノブ１３や繰出し部材１４などの他方の側面に同様に形成された前方係止部５４などを係合するようにしながら、２つのケース部を組み合わせればよい。
【００５３】
【発明の効果】
以上のように、請求項１記載の発明によれば、ケース本体内に操作ノブの前後方向の移動に連動して前後動するように繰出し部材を設け、この繰出し部材の前進時に２番目以降のクリップを同時に前進させ、前進させたクリップを後退させることなく繰出し部材を後退させることができるように複数の送り突起をこの繰出し部材に形成するという簡単な構成により連続操作が可能になり、ケース本体の後端にクリップの挿入口が形成されているので、きわめて簡単にクリップの装填を行うことができる。また、繰出し部材は後退したとき、高い位置に保持されるので、挿入口の上方に繰出し部材の後端が位置し、挿入口から前記クリップが脱落するのを防止することができ、クリップの挿入時には挿入されるクリップによって繰出し部材を前進させることができるので、容易にクリップを装填することができる。
【００５４】
請求項２記載の発明によれば、連結部材は操作ノブのみが所定の距離前進できるようになっているので、クリップの進行方向長さより長い拡開ばねを通り抜けるに必要な距離は両者の差分を操作ノブだけ前進させることで、確実に書類への綴じ動作と２番目以降のクリップの順送りを確実に行うことができる。
【００５５】
請求項３記載の発明によれば、連結部材の後端部を繰出し部材に前後方向に延在する長孔に遊嵌するという簡単な構成により操作ノブのみの移動を可能にすることができる。
【００５７】
請求項４記載の発明によれば、ケース本体の内部後方の両側部にそれぞれ後方に向かって上昇するようにかつ前後方向に間隔をおいて形成されたガイド突起に繰出し部材の係止突起を載置するという簡単な構成で、後退時に高い位置に繰出し部材を確実に保持することができる。
【００５８】
請求項５記載の発明によれば、繰出し部材は後退したときはもとより、下降して前進するときも、ほぼ平行状態に保持され、２番目以降のクリップを繰り出すときは確実にそれらクリップを前進させ、後退時は装填されるクリップの移動を阻害することはない。
【００５９】
請求項６記載の発明によれば、クリップは傾斜面により簡単に前方の送り突起に乗り越えることができ、乗り越えた後の後退は垂直な面で阻止でき、繰出し部材の前進時は垂直な面で２番目以降のクリップを送り出し、後退時には傾斜面を乗り越えるように後退し、クリップを後退させることはない。
【００６０】
請求項７記載の発明によれば、連結手段は簡単な構造の連結部材で構成でき、小型化することができる。
【００６１】
請求項８記載の発明によれば、各係止部間の長さがクリップの背部から当接部の先端までの長さにほぼ等しいので、各当接部間には１つのクリップのみが位置し、クリップの重なり合いを防止することができる。
【００６２】
請求項９記載の発明によれば、弾性アームによって弾性突起には強い弾性力が生じ、繰出し部材を確実にガイド突起に保持することができる。
【図面の簡単な説明】
【図１】本発明の一実施の形態をクリップとともに示す縦断側面図である。
【図２】上記実施の形態を示す斜視図である。
【図３】上記実施の形態におけるケース部分を上部ケースと下部ケースに分離して示す平面図で、（ａ）は上部ケースを示し、（ｂ）は下部ケースを示している。
【図４】上記実施の形態におけるケース部分のみを組み合わせた状態で示す縦断側面図である。
【図５】図４におけるＶ−Ｖ線に沿って切断して示す縦断面図である。
【図６】図４におけるＶＩ−ＶＩ線に沿って切断て示す縦断面図である。
【図７】上記実施の形態における操作ノブ、繰出し部材およびこれら両者を連結する連結部材のみを示す斜視図である。
【図８】図７における操作ノブの縦断面図である。
【図９】図７における操作ノブの平面図である。
【図１０】図７における操作ノブの側面図である。
【図１１】図７における繰出し部材を示す図で、（ａ）は縦断面図、（ｂ）は平面図、（ｃ）は側面図である。
【図１２】図７における連結部材の縦断面図である。
【図１３】図７における連結部材の平面図である。
【図１４】図７における連結部材の側面図である。
【図１５】拡開バネを示す斜視図である。
【図１６】上記実施の形態に使用されるクリップの一例を示す斜視図である。
【図１７】上記実施の形態における動作を説明するための縦断側面図で、操作ノブを下方に押圧した状態を示している。
【図１８】上記実施の形態における動作を説明するための縦断側面図で、操作ノブを図１７より前進させた状態を示している。
【図１９】上記実施の形態における動作説明するための縦断側面図で、操作ノブを図１８よりさらに前進させた状態を示している。
【図２０】上記実施の形態における動作説明するための縦断側面図で、操作ノブを最大限前進させた状態を示している。
【符号の説明】
１  クリップ
２  背部
３  当接部
４  耳部
１０  クリップドライバ
１１  下部ケース
１２  上部ケース
１３  操作ノブ
１４  繰出し部材
１５  連結部材
１６  スプリング
２６  下部耳ガイド溝
２７  クリップ止め突起
３４  開口
３７  上部耳ガイド溝
４１  ノブガイドリム
４２  挿入口
４３  規制突起
４７  クリップ挿入口
４９  ガイド突起
５０  上昇傾斜部
５２  ノブ突起
５３  押出部
５４  前方係止部
５６  後方係止部
５７  係合突起
６１  基板部
６２  側板部
６４  端縁部
６９  弾性アーム
７０  突起軸
７１  前方係止突起
７２  後方係止突起
７３  長孔
８１  フック部
８２  連結軸
９２  頂点部
【図１】
0004406797.tif 000002
【図２】
0004406797.tif 000003
【図３】
0004406797.tif 000004
【図４】
0004406797.tif 000005
【図５】
0004406797.tif 000006
【図６】
0004406797.tif 000007
【図７】
0004406797.tif 000008
【図８】
0004406797.tif 000009
【図９】
0004406797.tif 000010
【図１０】
0004406797.tif 000011
【図１１】
0004406797.tif 000012
【図１２】
0004406797.tif 000013
【図１３】
0004406797.tif 000014
【図１４】
0004406797.tif 000015
【図１５】
0004406797.tif 000016
【図１６】
0004406797.tif 000017
【図１７】
0004406797.tif 000018
【図１８】
0004406797.tif 000019
【図１９】
0004406797.tif 000020
【図２０】
0004406797.tif 000021